(57)【要約】【課題】シャッタ制御信号を送信する送信部の消費電力を低減しつつ、シャッタの開閉タイミングの高い設定自由度を実現可能な、シャッタ装置を用いた表示システムを得る。【解決手段】左眼用画像および右眼用画像を交互に時分割表示する表示部１２と、左眼用画像および右眼用画像の切換えに同期して左眼用シャッタ６Ｌおよび右眼用シャッタ６Ｒの開閉を切換え制御するためのシャッタ制御コード（制御コードＣ）を生成するシャッタ制御コード生成部（シャッタ制御部１５）とを備える。シャッタ制御コードは、左眼用シャッタ６Ｌまたは右眼用シャッタ６Ｒの開動作の開始点を指示する開動作タイミング情報（コマンドビットＣＢ）と、左眼用シャッタまたは右眼用シャッタの開放時間を示す開放時間情報（デューティフラグＤＦおよびデューティビットＤＢ、またはデューティフラグＤＦ）とを含む。【選択図】図６
2011166499.tif 000002
【特許請求の範囲】
【請求項１】
左眼用画像および右眼用画像を交互に時分割表示する表示部と、
前記左眼用画像および右眼用画像の切換えに同期して左眼用シャッタおよび右眼用シャッタの開閉を切換え制御するためのシャッタ制御コードを生成するシャッタ制御コード生成部と
を備え、
前記シャッタ制御コードは、前記左眼用シャッタまたは右眼用シャッタの開動作の開始点を指示する開動作タイミング情報と、前記左眼用シャッタまたは右眼用シャッタの開放時間を示す開放時間情報とを含む
表示装置。
【請求項２】
前記開放時間情報は、前記左眼用シャッタまたは右眼用シャッタの開放時間を、その時間の長さを示す開放時間値を用いて指示するかどうかを示す開放時間情報フラグを有し、
前記開放時間値は、前記開放時間情報フラグが活性論理の場合にのみ、その開放時間情報フラグの後に続いて配置される
請求項１に記載の表示装置。
【請求項３】
前記開放時間値は、一組の前記左眼用画像および右眼用画像を表示するためのフレーム期間に対する、前記左眼用シャッタまたは右眼用シャッタの開放時間の比率を示す開閉デューティ比である
請求項２に記載の表示装置。
【請求項４】
前記開放時間値は、前記開閉デューティ比の基準値に対する相対値を示す
請求項３に記載の表示装置。
【請求項５】
前記開閉デューティ比の前記基準値が５０％である
請求項４に記載の表示装置。
【請求項６】
第１画像および第２画像を交互に時分割表示する表示部と、
前記第１画像および第２画像の切換えに同期して第１シャッタおよび第２シャッタの開閉を切換え制御するためのシャッタ制御コードを生成するシャッタ制御コード生成部と
を備え、
前記シャッタ制御コードは、前記第１シャッタまたは第２シャッタの開動作の開始点を指示する開動作タイミング情報と、前記第１シャッタまたは第２シャッタの開放時間を示す開放時間情報とを含む
表示装置。
【請求項７】
シャッタ制御コードを受信する受信手段と、
前記シャッタ制御コードに基づいて、交互に時分割表示される左眼用画像および右眼用画像の切換えに同期して開閉を切換える左眼用シャッタおよび右眼用シャッタと
を備え、
前記シャッタ制御コードは、前記左眼用シャッタまたは右眼用シャッタの開動作の開始点を指示する開動作タイミング情報と、前記左眼用シャッタまたは右眼用シャッタの開放時間を示す開放時間情報とを含む
シャッタ装置。
【請求項８】
前記開放時間情報は、前記左眼用シャッタまたは右眼用シャッタの開放時間を、その時間の長さを示す開放時間値を用いて指示するかどうかを示す開放時間情報フラグを有し、
前記開放時間値は、前記開放時間情報フラグが活性論理の場合にのみ、その開放時間情報フラグの後に続いて配置される
請求項７に記載のシャッタ装置。
【請求項９】
前記左眼用シャッタおよび右眼用シャッタは、
前記開放時間情報フラグが活性論理の場合には、その開放時間情報フラグの後に続いて配置された前記開放時間値に基づいて動作し、
前記開放時間情報フラグが不活性論理の場合には、最後に供給された前記開放時間値に基づいて動作する
請求項８に記載のシャッタ装置。
【請求項１０】
前記左眼用シャッタおよび右眼用シャッタは、前記開放時間値が無効な値である場合に、最後に供給された前記開放時間値に基づいて動作する
請求項８に記載のシャッタ装置。
【請求項１１】
前記無効な値は、全てのビットが不活性論理である
請求項１０に記載のシャッタ装置。
【請求項１２】
交互に時分割表示された左眼用画像および右眼用画像の切換えに同期して左眼用シャッタおよび右眼用シャッタの開閉を切換え制御するためのシャッタ制御コードを生成するシャッタ制御コード生成部と、
前記シャッタ制御コードを前記左眼用シャッタおよび右眼用シャッタに送信する送信手段と
を備え、
前記シャッタ制御コードは、前記左眼用シャッタまたは右眼用シャッタの開動作の開始点を指示する開動作タイミング情報と、前記左眼用シャッタまたは右眼用シャッタの開放時間を示す開放時間情報とを含む
シャッタ制御回路。
【請求項１３】
表示装置において、
左眼用画像および右眼用画像を交互に表示すると共に、
左眼用シャッタまたは右眼用シャッタの開動作の開始点を指示する開動作タイミング情報と、前記左眼用シャッタまたは右眼用シャッタの開放時間を示す開放時間情報とを含むシャッタ制御コードを生成し、前記左眼用画像および右眼用画像の表示切換えに同期してシャッタ装置に送信し、
前記シャッタ装置において、
前記シャッタ制御コードを受信し、
前記左眼用シャッタおよび右眼用シャッタのそれぞれが、受信した前記開動作タイミング情報に基づいて開動作を開始すると共に、受信した前記開放時間情報に基づく時間の経過後に閉動作を行う
シャッタ制御方法。
【請求項１４】
表示装置と、
左眼用画像および右眼用画像に対応して開閉動作する左眼用シャッタおよび右眼用シャッタと
を備え、
前記表示装置は、
前記左眼用画像および右眼用画像を交互に時分割表示する表示部と、
前記左眼用画像および右眼用画像の切換えに同期して左眼用シャッタおよび右眼用シャッタの開閉を切換え制御するためのシャッタ制御コードを生成するシャッタ制御コード生成部と
を有し、
前記シャッタ制御コードは、前記左眼用シャッタまたは右眼用シャッタの開動作の開始点を指示する開動作タイミング情報と、前記左眼用シャッタまたは右眼用シャッタの開放時間を示す開放時間情報とを含む
表示システム。
【発明の詳細な説明】
【技術分野】
【０００１】
本発明は、シャッタ装置を用いた表示システムおよびこのようなシステムに好適に用いられる表示装置、シャッタ装置、シャッタ制御回路、シャッタ制御方法に関する。
【背景技術】
【０００２】
近年、立体視表示が可能な表示システムが注目を集めている。そのような表示システムの１つにシャッタ眼鏡を用いた表示システムがある。この表示システムでは、互いに視差がある左眼用画像と右眼用画像が、表示装置に交互に時分割的に表示されるとともに、これらの画像の切換えに同期してシャッタ眼鏡の左眼用シャッタと右眼用シャッタの開閉が切換え制御される。この切換え動作を繰り返すことにより、観察者はこれらの一連の画像からなる映像を奥行きのある立体的な映像として認識することができる。
【０００３】
シャッタ眼鏡の左眼用シャッタと右眼用シャッタの開閉制御は、通常、表示装置から供給されるシャッタ制御信号に基づいて行われる。例えば、非特許文献１には、シャッタ制御信号としてデューティ比が５０％の信号を用い、そのレベル信号が高レベルのときには、表示装置に左眼用画像を表示するとともにシャッタ眼鏡の左眼用シャッタを開き、低レベルのときには、表示装置に右眼用画像を表示するとともにシャッタ眼鏡の右眼用シャッタを開くように制御する、シャッタ装置の制御方法が提案されている。また、特許文献１には、シャッタ制御信号を赤外線や電波などにより供給する場合において、シャッタ制御信号としてコード化された信号を用い、そのシャッタ制御信号を受信するシャッタ眼鏡の受信部の消費電力を低減する無線受信装置が提案されている。
【先行技術文献】
【特許文献】
【０００４】
【特許文献１】特開平８−２６５８６３号公報
【非特許文献】
【０００５】
【非特許文献１】Video Electronics Standards Association,“VESA Standard Connector and Signal Standards for Stereoscopic Display Hardware", Version1, November 5, 1997
【発明の概要】
【発明が解決しようとする課題】
【０００６】
近年、エコロジーの観点から、電子機器の消費電力の低減が注目を集めている。一般に、信号の伝送においては、受信部に比べて送信部の方が、消費電力が大きい。よって、シャッタ眼鏡を用いた表示システムでは、シャッタ制御信号を送信する表示装置の送信部の消費電力をいかに削減するかが課題となっている。しかしながら、非特許文献１に開示されたシャッタ眼鏡の制御方法では、デューティ比が５０％のレベル信号を送信するので、例えばシャッタの開状態および閉状態を赤外線の発光および非発光に対応させて信号を送信する場合には、信号の半周期にわたり発光しつづけるようになる。このため、送信部の消費電力が大きくなる恐れがある。また、特許文献１に開示された無線受信装置では、送信部の消費電力については一切記載がない。
【０００７】
また、シャッタ眼鏡の左眼用シャッタと右眼用シャッタの開閉制御を行う際には、これらのシャッタの開くタイミングや閉じるタイミングを自由に設定できることが望まれる。しかしながら、非特許文献１に開示されたシャッタ眼鏡の制御方法では、シャッタ制御信号のデューティ比が５０％に固定されているため、シャッタが開くタイミングを設定すると、シャッタが閉じるタイミングが一意的に決まってしまう。つまり、シャッタの開閉タイミングの設定自由度が低い。また、特許文献１に開示された無線受信装置では、シャッタ眼鏡の開閉タイミングについては一切記載がない。
【０００８】
本発明はかかる問題点に鑑みてなされたもので、その目的は、シャッタ制御信号を送信する送信部の消費電力を低減しつつ、シャッタの開閉タイミングの高い設定自由度を実現できる表示装置、シャッタ装置、シャッタ制御回路、シャッタ制御方法、および表示システムを提供することにある。
【課題を解決するための手段】
【０００９】
本発明の第１の表示装置は、表示部と、シャッタ制御コード生成部とを備えている。表示部は、左眼用画像および右眼用画像を交互に時分割表示するものである。シャッタ制御コード生成部は、左眼用画像および右眼用画像の切換えに同期して左眼用シャッタおよび右眼用シャッタの開閉を切換え制御するためのシャッタ制御コードを生成する。上記シャッタ制御コードは、左眼用シャッタまたは右眼用シャッタの開動作の開始点を指示する開動作タイミング情報と、左眼用シャッタまたは右眼用シャッタの開放時間を示す開放時間情報とを含んでいる。
【００１０】
本発明の第２の表示装置は、表示部と、シャッタ制御コード生成部とを備えている。表示部は、第１画像および第２画像を交互に時分割表示するものである。シャッタ制御コード生成部は、第１画像および第２画像の切換えに同期して第１シャッタおよび第２シャッタの開閉を切換え制御するためのシャッタ制御コードを生成する。上記シャッタ制御コードは、第１シャッタまたは第２シャッタの開動作の開始点を指示する開動作タイミング情報と、第１シャッタまたは第２シャッタの開放時間を示す開放時間情報とを含んでいる。
【００１１】
本発明のシャッタ装置は、受信手段と、左眼用シャッタおよび右眼用シャッタとを備えている。受信手段は、シャッタ制御コードを受信する。左眼用シャッタおよび右眼用シャッタは、シャッタ制御コードに基づいて、交互に時分割表示された左眼用画像および右眼用画像の切換えに同期して開閉を切換えるものである。上記シャッタ制御コードは、左眼用シャッタまたは右眼用シャッタの開動作の開始点を指示する開動作タイミング情報と、左眼用シャッタまたは右眼用シャッタの開放時間を示す開放時間情報とを含んでいる。
【００１２】
本発明のシャッタ制御回路は、シャッタ制御コード生成部と、送信手段とを備えている。シャッタ制御コード生成部は、交互に時分割表示された左眼用画像および右眼用画像の切換えに同期して左眼用シャッタおよび右眼用シャッタの開閉を切換え制御するためのシャッタ制御コードを生成するものである。送信手段は、シャッタ制御コードを左眼用シャッタおよび右眼用シャッタに送信するものである。上記シャッタ制御コードは、左眼用シャッタまたは右眼用シャッタの開動作の開始点を指示する開動作タイミング情報と、左眼用シャッタまたは右眼用シャッタの開放時間を示す開放時間情報とを含んでいる。
【００１３】
本発明のシャッタ制御方法は、表示装置において、左眼用画像および右眼用画像を交互に表示すると共に、左眼用シャッタまたは右眼用シャッタの開動作の開始点を指示する開動作タイミング情報と、左眼用シャッタまたは右眼用シャッタの開放時間を示す開放時間情報とを含むシャッタ制御コードを生成し、左眼用画像および右眼用画像の表示切換えに同期してシャッタ装置に送信し、シャッタ装置において、シャッタ制御コードを受信し、左眼用シャッタおよび右眼用シャッタのそれぞれが、受信した開動作タイミング情報に基づいて開動作を開始すると共に、受信した開放時間情報に基づく時間の経過後に閉動作を行うようにしたものである。
【００１４】
本発明の表示システムは、上記本発明の第１の表示装置を備えた表示システムである。
【００１５】
本発明の第１の表示装置、シャッタ装置、シャッタ制御回路、およびシャッタ制御方法では、表示装置において左眼用シャッタおよび右眼用シャッタの開動作タイミング情報と開放時間情報とを含むシャッタ制御コードが生成され、シャッタ装置に供給される。シャッタ装置では、このシャッタ制御コードに基づいて、各シャッタの開閉タイミングが求められ、各シャッタの開閉が行われる。このようなシャッタ制御コードを用いることにより、１つのシャッタ制御コードで開閉動作の両方を指示することができる。
【００１６】
本発明の第２の表示装置では、表示装置において第１シャッタおよび第２シャッタの開動作タイミング情報と開放時間情報とを含むシャッタ制御コードを生成し、シャッタ装置に供給される。このようなシャッタ制御コードを用いることにより、１つのシャッタ制御コードで開閉動作の両方を指示することができる。
【００１７】
本発明の第１の表示装置では、例えば、開放時間情報は、左眼用シャッタまたは右眼用シャッタの開放時間を、その時間の長さを示す開放時間値を用いて指示するかどうかを示す開放時間情報フラグを有し、この開放時間値は、開放時間情報フラグが活性論理の場合にのみ、その開放時間情報フラグの後に続いて配置されるようにすることが望ましい。この場合、開放時間情報は、例えば、一組の左眼用画像および右眼用画像を表示するためのフレーム期間に対する、左眼用シャッタまたは右眼用シャッタの開放時間の比率を示す開閉デューティ比が使用可能である。この開放時間値は、例えば、開閉デューティ比の基準値に対する相対値を示すものを用いてもよい。その開閉デューティ比の基準値は、例えば５０％にすることができる。
【００１８】
本発明のシャッタ装置では、例えば、開放時間情報は、左眼用シャッタまたは右眼用シャッタの開放時間を、その時間の長さを示す開放時間値を用いて指示するかどうかを示す開放時間情報フラグを有し、この開放時間値は、開放時間情報フラグが活性論理の場合にのみ、その開放時間情報フラグの後に続いて配置されるようにすることが望ましい。この場合、例えば、左眼用シャッタおよび右眼用シャッタは、開放時間情報フラグが活性論理の場合には、その開放時間情報フラグの後に続いて配置された開放時間値に基づいて動作し、開放時間情報フラグが不活性論理の場合には、最後に（すなわち、直前に）供給された開放時間値に基づいて動作することが望ましい。
【００１９】
また、左眼用シャッタおよび右眼用シャッタは、例えば、開放時間値が無効な値である場合（例えば、開放時間値の全てのビットが不活性論理の場合）に、最後に供給された開放時間値に基づいて動作するようにしてもよい。
【発明の効果】
【００２０】
本発明の第１および第２の表示装置、シャッタ装置、シャッタ制御回路、シャッタ制御方法、および表示システムによれば、開動作タイミング情報と開放時間情報とを含むシャッタ制御コードを用いてシャッタの開閉動作を指示するようにしたので、シャッタ制御コードを送信する送信部の消費電力を低減しつつ、シャッタの開閉タイミングの高い設定自由度を実現できる。
【図面の簡単な説明】
【００２１】
【図１】本発明の第１の実施の形態に係る表示システムの一構成例を表すブロック図である。
【図２】図１に示した表示装置の一構成例を表すブロック図である。
【図３】図１に示した表示駆動部および表示部の一構成例を表すブロック図である。
【図４】図３に示した画素の一構成例を表すブロック図である。
【図５】図１に示したシャッタ眼鏡の一構成例を表すブロック図である。
【図６】図１に示した表示システムに係る制御コードの一構成例を表す表である。
【図７】図１に示した表示システムの一動作例を表す模式図である。
【図８】図１に示した表示システムの一動作例を表すタイミング波形図である。
【図９】図１に示した表示システムの他の動作例を表すタイミング波形図である。
【図１０】図１に示した表示装置の一動作例を表す流れ図である。
【図１１】比較例に係る表示システムの一動作例を表すタイミング波形図である。
【図１２】比較例に係る他の表示システムの一動作例を表すタイミング波形図である。
【図１３】比較例に係るさらに他の表示システムの一動作例を表すタイミング波形図である。
【図１４】図１３に示した表示システムに係る制御コードの一構成例を表す表である。
【図１５】図１に示した表示システムと比較例との比較を表す表である。
【図１６】本発明の第２の実施の形態に係る表示システムの一構成例を表すブロック図である。
【図１７】図１６に示した表示システムに係る制御コードの一構成例を表す表である。
【図１８】図１６に示した表示システムの一動作例を表す模式図である。
【図１９】図１６に示した表示システムの一動作例を表すタイミング波形図である。
【発明を実施するための形態】
【００２２】
以下、本発明の実施の形態について、図面を参照して詳細に説明する。なお、説明は以下の順序で行う。
１．第１の実施の形態
２．第２の実施の形態
【００２３】
＜１．第１の実施の形態＞
［構成例］
図１は、本発明の第１の実施の形態に係る表示システムの一構成例を表すものである。この表示システム１は、相互間に視差がある左眼用画像と右眼用画像とを交互に時分割的に表示するとともに、その左眼用画像と右眼用画像の切換えに同期してシャッタ眼鏡の左右のシャッタの開閉を切換え制御することにより、立体視表示を行う立体視表示システムであり、表示装置１０と、シャッタ眼鏡６０とを備えている。なお、本発明の実施の形態に係る表示システムの表示装置、シャッタ装置、シャッタ制御回路、シャッタ制御方法は、本実施の形態により具現化されるので、併せて説明する。
【００２４】
表示装置１０は、図２に示したように、信号処理部２０と、表示駆動部１１と、表示部１２と、音声増幅部１３と、スピーカ１４と、シャッタ制御部１５とを備えている。表示装置１０は、立体視用映像信号を含む入力信号Ｄinに基づいて、表示部１２に映像を表示するとともに、スピーカ１４から音声を出力するものである。立体視用映像信号は、相互間に視差がある左眼用画像と右眼用画像とを交互に配列してなる映像信号である。
【００２５】
信号処理部２０は、入力信号Ｄinに基づいて、左眼用画像信号ＤＬと右眼用画像信号ＤＲとを含む映像信号Ｄ１と、音声信号Ｄ２とを生成するものである。また、信号処理部２０は、シャッタ制御部１５を制御するための信号を生成し出力する機能をも有している。具体的には、信号処理部２０の映像信号処理回路２３（後述）は、左眼用画像信号ＤＬと右眼用画像信号ＤＲとに同期した同期信号（フレーム切換え信号ＳＦ）を出力し、シャッタ制御部１５に供給する。
【００２６】
信号処理部２０は、図２に示したように、デジタルチューナ２１と、ＭＰＥＧ（Moving Picture Experts Group）デコーダ２２と、映像信号処理回路２３と、グラフィック生成回路２４と、音声信号処理回路２５と、ＨＤＭＩ（High-Definition Multimedia Interface）レシーバ２６と、ネットワークインターフェース２７とを備えている。
【００２７】
デジタルチューナ２１は、アンテナ（図示せず）において受信されアンテナ端子ＴＡを介して供給された放送波（図１における入力信号Ｄinに対応）から、所望の信号（ストリーム）を選択するものである。ＭＰＥＧデコーダ２２は、デジタルチューナ２１において選択されたストリームから映像信号と音声信号とを抽出する。映像信号処理回路２３は、ＭＰＥＧデコーダ２２において抽出された映像信号に対して、ガンマ処理、ＹＵＶ−ＲＧＢ変換、フレーム順次出力などの映像信号処理を施すとともに、フレーム切換え信号ＳＦを生成する機能を有している。映像信号処理回路２３は、フレーム切換え信号ＳＦの出力タイミングを調整する機能も有している。これにより、映像信号処理回路２３は、後述するように、シャッタ制御信号ＣＴＬの制御コードＣ（後述）の生成タイミングを制御し、シャッタ眼鏡６０のシャッタの開動作タイミングを設定することができる。グラフィック生成回路２４は、ＯＳＤ（On Screen Display）情報を生成し、映像信号処理回路２３から供給された映像に重畳し、その出力信号を映像信号Ｄ１として表示駆動部１１に供給するようになっている。音声信号処理回路２５は、ＭＰＥＧデコーダ２２において抽出された音声信号に対してサラウンド処理などの音声信号処理を施し、その出力信号を音声信号Ｄ２として音声増幅部１３に供給する機能を有している。
【００２８】
図２に示した表示装置１０では、上述した放送波の他、複数の信号を入力信号Ｄinとして選択できるようになっている。具体的には、以下に示すように、例えばＢＤ（Blu-ray Disk）レコーダなどの外部機器からの信号や、ＩＰ（Internet Protocol）放送信号などを入力信号Ｄinとして選択できるようになっている。
【００２９】
ＨＤＭＩレシーバ２６は、外部機器（図示せず）からＨＤＭＩ端子ＴＨを介して供給された信号を受信する回路である。ＨＤＭＩレシーバ２６は、その受信した信号から映像信号と音声信号とを抽出し、映像信号を映像信号処理回路２３に供給するとともに、音声信号を音声信号処理回路２５に供給する機能を有している。
【００３０】
ネットワークインターフェース２７は、インターネットに接続されたネットワーク端子ＴＮを介して供給されたＩＰ放送信号を受信し、その受信した信号をＭＰＥＧデコーダ２２に供給するようになっている。
【００３１】
信号処理部２０は、内部バス３１により互いに接続された、メモリ３２、フラッシュＲＯＭ３３、およびＣＰＵ３４を備えている。この内部バス３１は、ネットワークインターフェース２７と接続されている。さらに、信号処理部２０は、リモコン受信部３５を備えている。リモコン受信部３５は、リモコン（図示せず）からの指示を受信し、その信号をＣＰＵ３４に供給するようになっている。
【００３２】
図１において、表示駆動部１１は、信号処理部２０から供給された映像信号Ｄ１に基づいて、表示部１２を駆動するための駆動信号を生成する回路である。表示部１２は、表示駆動部１１から供給される駆動信号に基づき、左眼用画像と右眼用画像とを交互に表示するようになっている。
【００３３】
図３，４を参照して、表示駆動部１１と表示部１２の一構成例を説明する。図３は、表示駆動部１１と表示部１２の一構成例を表すものであり、図４は、表示部１２に係る画素５０の一構成例を表すものである。図３に示したように、表示部１２は、液晶表示デバイス４５と、バックライト４６とを備えている。表示駆動部１１は、タイミング制御部４１と、ゲートドライバ４２と、データドライバ４３と、バックライト駆動部４４とを備えている。
【００３４】
液晶表示デバイス４５は、データドライバ４３（後述）から供給される画素信号に基づいて表示を行うものである。液晶表示デバイス４５には、画素５０がマトリックス状に配列されている。
【００３５】
画素５０は、図４に示したように、ＴＦＴ（Thin Film Transistor）素子５１と、液晶素子５２と、保持容量素子５３とを備えている。ＴＦＴ素子５１は、例えばＭＯＳ−ＦＥＴ（Metal Oxide Semiconductor-Field Effect Transistor）により構成されるものであり、ゲートがゲート線Ｇに接続され、ソースがデータ線Ｄに接続され、ドレインが液晶素子５２の一端と保持容量素子５３の一端に接続されている。液晶素子５２は、一端がＴＦＴ素子５１のドレインに接続され、他端は接地されている。保持容量素子５３は、一端がＴＦＴ素子５１のドレインに接続され、他端は保持容量線Ｃｓに接続されている。ゲート線Ｇはゲートドライバ４２に接続され、データ線Ｄはデータドライバ４３に接続されている。
【００３６】
バックライト４６は、液晶表示デバイス４５に対して光を照射する光源であり、例えばＬＥＤ（Light Emitting Diode）やＣＣＦＬ（Cold Cathode Fluorescent Lamp）等が使用可能である。
【００３７】
図３において、タイミング制御部４１は、ゲートドライバ４２、データドライバ４３、およびバックライト駆動部４４の駆動タイミングを制御するとともに、信号処理部２０から供給された映像信号Ｄ１をデータドライバ４２へ供給するものである。ゲートドライバ４２は、タイミング制御部４１によるタイミング制御に従って、液晶表示デバイス４５内の画素５０を列ごとに選択して、線順次走査するものである。データドライバ４３は、液晶表示デバイス４５の各画素５０へ、映像信号Ｄ１に基づく画素信号を供給するものである。具体的には、映像信号Ｄ１に対してＤ／Ａ（デジタル／アナログ）変換を施すことにより、アナログ信号である画素信号を生成し、各画素５０へ供給する。バックライト駆動部４４は、タイミング制御部４１によるタイミング制御に従って、バックライト４６の点灯動作を制御するものである。
【００３８】
この構成により、表示部１２では、ゲートドライバ４２により選択された画素５０に対して、データドライバ４３から画素信号が供給される。その結果、バックライト４６からの光が、その画素５０の液晶素子５２により変調される。これらの動作が、液晶表示デバイス４５の表示面に対して線順次走査により行われることにより、画像が表示される。表示部１２は、交互に供給される左眼用画像信号ＤＬおよび右眼用画像信号ＤＲのそれぞれに対してこの表示動作を行うことにより、左眼用画像と右眼用画像とを交互に時分割表示するようになっている。
【００３９】
図１において、音声増幅部１３は、信号処理部２０から供給された音声信号Ｄ２を増幅する機能を有している。スピーカ１４は、音声増幅部１３において増幅された音声信号を出力するものである。
【００４０】
シャッタ制御部１５は、信号処理部２０から供給されたフレーム切換え信号ＳＦに基づいてシャッタ制御信号ＣＴＬを生成し、例えば赤外線や電波などを用いた無線通信によりシャッタ眼鏡６０に供給する回路である。シャッタ制御信号ＣＴＬは、シャッタ眼鏡６０の開閉動作を制御する為のコード化された信号であり、表示装置１０に表示される左眼用画像および右眼用画像に同期した信号である。シャッタ制御部１５は、シャッタ制御信号生成部２８と、送信部２９とを備えている。シャッタ制御信号生成部２８は、フレーム切換え信号ＳＦに基づいて、シャッタ眼鏡６０のシャッタの開閉動作を制御するためのシャッタ制御信号ＣＴＬを生成し、送信部２９を駆動する機能を有する。送信部２９は、例えば赤外線や電波などを用いた無線通信によりシャッタ制御信号ＣＴＬを送信し、シャッタ眼鏡６０に供給する。送信部２９は、シャッタ制御信号ＣＴＬを送信する際、シャッタ制御信号ＣＴＬを変調するようにしてもよい。なお、この例では、送信部２９は、シャッタ制御信号ＣＴＬを無線通信により伝送するものとしたが、有線通信により伝送するようにしてもよい。
【００４１】
シャッタ眼鏡６０は、表示装置１０の観察者（図示せず）が用いることにより、立体視を可能とするものである。このシャッタ眼鏡６０は、左眼用シャッタ６Ｌおよび右眼用シャッタ６Ｒを有している。これらの左眼用シャッタ６Ｌおよび右眼用シャッタ６Ｒは、例えば液晶シャッタなどの遮光シャッタにより構成されている。これらの左眼用シャッタ６Ｌおよび右眼用シャッタ６Ｒにおける遮光状態（開状態および閉状態）は、シャッタ制御部１５から供給されるシャッタ制御信号ＣＴＬにより制御されるようになっている。
【００４２】
図５は、シャッタ眼鏡６０の一構成例を表すものである。シャッタ眼鏡６０は、受信部６１と、判別回路６２と、シャッタ駆動回路６３と、左眼用シャッタ６Ｌと、右眼用シャッタ６Ｒとを備えている。受信部６１は、図２に示した表示装置１０の送信部２９より無線通信により供給されたシャッタ制御信号ＣＴＬを受信する回路である。判別回路６２は、受信部６１において受信したシャッタ制御信号ＣＴＬの制御コードＣ（後述）を解読し、左眼用シャッタ６Ｌおよび右眼用シャッタ６Ｒへの開閉指示を判別する機能を有する。シャッタ駆動回路６３は、判別回路６２から供給された信号に基づいて、左眼用シャッタ６Ｌに対する左眼用シャッタ制御信号ＣＴＬＬを生成して左眼用シャッタ６Ｌに供給するとともに、右眼用シャッタ６Ｒに対する右眼用シャッタ制御信号ＣＴＬＲを生成して右眼用シャッタ６Ｒに供給するようになっている。左眼用シャッタ６Ｌは、シャッタ駆動回路６３から供給された左眼用シャッタ制御信号ＣＴＬＬに基づいてシャッタの開閉動作を行うものであり、右眼用シャッタ６Ｒは、シャッタ駆動回路６３から供給された右眼用シャッタ制御信号ＣＴＬＲに基づいてシャッタの開閉動作を行うものである。
【００４３】
図６は、シャッタ制御信号ＣＴＬの制御コードＣの一構成例を表すものである。図６において、（Ａ）は制御コードＣの全体構成を示し、（Ｂ）は制御コードＣに係るコマンドビットＣＢの機能を示し、（Ｃ）は制御コードＣに係るデューティフラグＤＦの機能を示し、（Ｄ）は制御コードＣに係るデューティビットＤＢの機能を示す。制御コードＣは、信号処理部２０から供給されるフレーム切換え信号ＳＦに基づいて、左眼用画像および右眼用画像の各画像ごとにシャッタ制御信号生成部２８において生成される。
【００４４】
制御コードＣは、図６（Ａ）に示したように、この例では、４ビットからなるスタートビットＳＢと、３ビットからなるコマンドビットＣＢと、１ビットのデューティフラグＤＦとを含んでいる。４ビットのデューティビットＤＢは、後述するように、左眼用シャッタ６Ｌおよび右眼用シャッタ６Ｒのシャッタの開閉デューティ比を設定する場合にのみ付加するものである。すなわち、制御コードＣは可変長である。
【００４５】
スタートビットＳＢは、シャッタ制御信号ＣＴＬの制御コードＣのプリアンブルとして機能するものであり、所定のビットパターンにより構成されるものである。シャッタ眼鏡６０の判別回路６２は、このビットパターンを検出して、制御コードＣの検出を行う。
【００４６】
コマンドビットＣＢは、図６（Ｂ）に示したように、シャッタ眼鏡６０の左眼用シャッタ６Ｌおよび右眼用シャッタ６Ｒのそれぞれの開閉動作を指示するためのものである。具体的には、コマンドビットＣＢでは、例えば、左眼用シャッタ６Ｌの開動作（コマンドビットＣＢ：“０１１”）、右眼用シャッタ６Ｒの開動作（コマンドビットＣＢ：“００１”）、およびこれら両方に対する閉動作（コマンドビットＣＢ：“１０１”）などを指示することができる。これらは、例えば、入力信号Ｄinが立体視用映像信号のときに用いられるものである。また、このコマンドビットＣＢでは、左眼用シャッタ６Ｌと右眼用シャッタ６Ｒの両方に対する開動作（コマンドビットＣＢ：“１００”）を指示することもできるようになっている。これは、例えば、入力信号Ｄinが立体視用映像信号ではない通常の映像信号の時に用いられるものである。なお、コマンドビットＣＢには、シャッタの閉動作を指示するコードはない。この閉動作のタイミングは、後述するデューティビットＤＢ（開閉デューティ比）により指示される。
【００４７】
デューティフラグＤＦは、図６（Ｃ）に示したように、左眼用シャッタ６Ｌおよび右眼用シャッタ６Ｒの開放時間を示す開閉デューティ比の値を指示するかどうかを示すフラグである。開閉デューティ比の値を指示するときは、デューティフラグＤＦが“１”（活性論理）に設定されるとともに、そのフラグに続けて、開閉デューティ比の値を指示するデューティビットＤＢ（図６（Ｄ））が付加されるようになっている。一方、開閉デューティ比の値を指示しないときは、デューティフラグＤＦが“０”（不活性論理）に設定される。この場合には、シャッタ眼鏡６０は、この制御コードＣ以前において最後に指示された開閉デューティ比を、そのまま維持するように動作する。つまり、この場合は、表示装置１０は、シャッタ眼鏡６０に対して、開閉デューティ比を再設定しないように指示している。
【００４８】
デューティビットＤＢは、図６（Ｄ）に示したように、開閉デューティ比の値を指示するためのものであり、上述したように、デューティフラグＤＦが１（活性論理）の場合に、そのフラグに続けて付加されるものである。開閉デューティ比は、一組の左眼用画像および右眼用画像を表示する期間であるフレーム期間に対する、左眼用シャッタ６Ｌもしくは右眼用シャッタ６Ｒの開放時間の比率を示すものである。開閉デューティ比は、この例では、開閉デューティ比の基準値に対して±７％の範囲の相対値として指示するものである。なお、例えば、シャッタ眼鏡６０や表示システム１の電源立ち上げ時には、この開閉デューティ比は基準値に設定される。この開閉デューティ比の基準値は、この例では５０％に設定されている。なお、この基準値は５０％に限定されるものではなく、例えば４０％や６０％など、他の値であってもよい。また、デューティビットＤＢが“００００”の場合、つまり、デューティビットＤＢの全てのビットが不活性論理の場合には、シャッタ眼鏡６０は、開閉デューティ比を変更することなく、この制御コードＣ以前において最後に指示された開閉デューティ比をそのまま維持するように動作する。
【００４９】
なお、上記した±７％の値は説明の便宜上定めたものであり、この値に限定されるものではなく、±５０％（開閉デューティ比の絶対値で０％〜１００％）を超えない範囲で設定してもよい。また、この例では、デューティビットＤＢは４ビットとしたが、これに限定されるものではない。例えば、開閉デューティ比の設定範囲を広くする場合や、開閉デューティ比をより高精度に設定する場合には、デューティビットＤＢをより多くしてもよい。反対に、開閉デューティ比の設定範囲が狭くてもよい場合や、開閉デューティ比の設定精度が低くてもよい場合には、デューティビットＤＢをより少なくしてもよい。また、この例では、開閉デューティ比は基準値に対する相対値として指示するようにしたが、これに限定されるものではなく、開閉デューティ比の絶対値として指示するようにしてもよい。
【００５０】
以上の構成により、シャッタ眼鏡６０の左眼用シャッタ６Ｌおよび右眼用シャッタ６Ｒは、表示装置１０のシャッタ制御部１５が送信したシャッタ制御信号ＣＴＬに基づいて、表示装置１０に時分割的に表示される左眼用画像および右眼用画像に同期して、シャッタの開閉動作を行うようになっている。具体的には、シャッタ眼鏡６０は、シャッタ制御信号ＣＴＬの制御コードＣにより指示された開動作タイミングに基づいてシャッタの開動作を行い、指示された開閉デューティ比に対応した時間を経た後にそのシャッタの閉動作を行うように動作する。
【００５１】
ここで、表示部１２は、本発明における「表示部」の一具体例に対応する。シャッタ制御信号ＣＴＬの制御コードＣは、本発明における「シャッタ制御コード」の一具体例に対応する。シャッタ制御信号生成部２８は、本発明における「シャッタ制御コード生成部」の一具体例に対応する。
【００５２】
コマンドビットＣＢは、本発明における「開動作タイミング情報」の一具体例に対応する。デューティフラグＤＦおよびデューティビットＤＢ、またはデューティフラグＤＦは、本発明における「開放時間情報」の一具体例に対応する。デューティフラグＤＦは、本発明における「開放時間情報フラグ」の一具体例にも対応する。デューティビットＤＢは、本発明における「開放時間値」の一具体例に対応する。
【００５３】
［動作および作用］
続いて、本実施の形態の表示システム１の動作および作用について説明する。
【００５４】
（全体動作概要）
信号処理部２０は、相互間に視差がある左眼用画像と右眼用画像とを交互に配列してなる立体視用映像信号を含む入力信号Ｄinに基づいて、映像信号Ｄ１と音声信号Ｄ２とを生成する。具体的には、信号処理部２０のデジタルチューナ２１は、アンテナにおいて受信されアンテナ端子ＴＡを介して供給された放送波（入力信号Ｄin）から、所望の信号（ストリーム）を選択する。ＭＰＥＧデコーダ２２は、デジタルチューナ２１において選択されたストリームから映像信号と音声信号とを抽出する。映像信号処理回路２３は、ＭＰＥＧデコーダ２２において抽出された映像信号に対して映像信号処理を行うとともに、フレーム切換え信号ＳＦを生成する。グラフィック生成回路２４は、ＯＳＤ情報を生成し、映像信号処理回路２３から供給された映像に重畳し、映像信号Ｄ１を生成する。音声信号処理回路２５は、ＭＰＥＧデコーダ２２において抽出された音声信号に対して音声信号処理を行い、音声信号Ｄ２を生成する。表示駆動部１１は、映像信号Ｄ１に基づいて表示部１２を駆動する。表示部１２は、表示駆動部１１から供給される信号に基づいて、左眼用画像と右眼用画像とを交互に表示する。音声増幅部１３は、音声信号Ｄ２を増幅しスピーカ１４を駆動する。スピーカ１４は、音声信号を音声として出力する。
【００５５】
シャッタ制御部１５は、映像信号処理回路２３から供給されたフレーム切換え信号ＳＦに基づいて、表示装置１０における左眼用画像および右眼用画像の表示に同期したシャッタ制御信号ＣＴＬを生成し、無線通信によりシャッタ眼鏡６０に供給する。シャッタ眼鏡６０の受信部６１は、シャッタ制御部１５より無線通信により供給されたシャッタ制御信号ＣＴＬを受信する。判別回路６２は、受信部６１において受信したシャッタ制御信号ＣＴＬの制御コードＣを解読し、左眼用シャッタ６Ｌおよび右眼用シャッタ６Ｒへのシャッタ開閉指示をそれぞれ判別する。シャッタ駆動回路６３は、判別回路６２から供給された信号に基づいて、左眼用シャッタ制御信号ＣＴＬＬを生成して左眼用シャッタ６Ｌに供給するとともに、右眼用シャッタ制御信号ＣＴＬＲを生成して右眼用シャッタ６Ｒに供給する。左眼用シャッタ６Ｌは、左眼用シャッタ制御信号ＣＴＬＬに基づいてシャッタの開閉動作を行い、右眼用シャッタ６Ｒは、右眼用シャッタ制御信号ＣＴＬＲに基づいてシャッタの開閉動作を行う。
【００５６】
図７は、表示システム１の全体動作を模式的に表すものである。図７において、（Ａ）は左眼用画像Ｌを表示したときの動作を示し、（Ｂ）は右眼用画像Ｒを表示したときの動作を示す。表示装置１０が左眼用画像Ｌを表示しているとき、シャッタ眼鏡６０では、図７（Ａ）に示したように、左眼用シャッタ６Ｌが開状態となるとともに、右眼用シャッタ６Ｒが閉状態となる。このとき、観察者９は左眼９Ｌで左眼用画像Ｌを見る。一方、表示装置１０が右眼用画像Ｒを表示しているとき、シャッタ眼鏡６０では、図７（Ｂ）に示したように、左眼用シャッタ６Ｌが閉状態となるとともに、右眼用シャッタ６Ｒが開状態となる。このとき、観察者９は右眼９Ｒで右眼用画像Ｒを見る。これらの動作を交互に繰り返すと、左眼用画像Ｌと右眼用画像Ｒとの間には視差があるため、観察者９は、これらの一連の画像からなる映像を奥行きのある立体的な映像として認識することができる。
【００５７】
（開閉デューティ比設定の自由度）
図８は、シャッタ眼鏡６０に対するシャッタ制御のタイミング波形図を表すものであり、開閉デューティ比が５０％以下であるときの例を示す。図８において、（Ａ）は映像信号Ｄ１の波形を示し、（Ｂ）はシャッタ制御信号ＣＴＬを示し、（Ｃ）は左眼用シャッタ制御信号ＣＴＬＬの波形を示し、（Ｄ）は右眼用シャッタ制御信号ＣＴＬＲの波形を示す。説明の便宜上、左眼用シャッタ６Ｌは、左眼用シャッタ制御信号ＣＴＬＬが高レベルの時に開状態となり、低レベルの時に閉状態になるものとする。同様に、右眼用シャッタ６Ｒは、右眼用シャッタ制御信号ＣＴＬＲが高レベルの時に開状態となり、低レベルの時に閉状態になるものとする。
【００５８】
図８に示したように、表示装置１０は、映像信号Ｄ１（図８（Ａ））に同期して、シャッタ制御信号ＣＴＬの制御コードＣを生成する（図８（Ｂ））。具体的には、表示装置１０の映像信号処理回路２３が、映像信号Ｄ１の左眼用画像信号ＤＬおよび右眼用画像信号ＤＲに同期したフレーム切換え信号ＳＦを生成し、シャッタ制御部１５がこのフレーム切換え信号ＳＦに基づいて制御コードＣを生成する。このとき、シャッタ制御部１５は、映像信号Ｄ１が左眼用画像信号ＤＬのときには、左眼用シャッタ６Ｌを制御するための制御コードＣを生成し、映像信号Ｄ１が右眼用画像信号ＤＲのときには、右眼用シャッタ６Ｒを制御するための制御コードＣを生成する。制御コードＣは、図６に示したように、スタートビットＳＢと、コマンドビットＣＢと、デューティフラグＤＦとを少なくとも含む。また開閉デューティ比（シャッタの開放時間）を指示する場合には、さらにデューティビットＤＢを含む。
【００５９】
シャッタ眼鏡６０の判別回路６２は、この制御コードＣを解読し、シャッタ駆動回路６３はその解読結果に基づいて左眼用シャッタ制御信号ＣＴＬＬおよび右眼用シャッタ制御信号ＣＴＬＲを生成する（図８（Ｃ），（Ｄ））。具体的には、例えば、映像信号Ｄ１が左眼用画像信号ＤＬのときは（図８（Ａ））、制御コードＣが終了した後に（図８（Ｂ））、左眼用シャッタ制御信号ＣＴＬＬが低レベルから高レベルに変化し、制御コードＣにより指示された開閉デューティ比に基づく時間が経過した後に、高レベルから低レベルに変化する（図８（Ｃ））。シャッタ眼鏡６０の左眼用シャッタ６Ｌは、左眼用シャッタ制御信号ＣＴＬＬが高レベルの期間のみ開状態となり、この期間において観察者９は左眼用画像Ｌを見ることができる。同様に、例えば、映像信号Ｄ１が右眼用画像信号ＤＲのときは（図８（Ａ））、制御コードＣが終了した後に（図８（Ｂ））、右眼用シャッタ制御信号ＣＴＬＲが低レベルから高レベルに変化し、制御コードＣにより指示された開閉デューティ比に基づく時間が経過した後に、高レベルから低レベルに変化する（図８（Ｄ））。シャッタ眼鏡６０の右眼用シャッタ６Ｒは、右眼用シャッタ制御信号ＣＴＬＲが高レベルの期間のみ開状態となり、この期間において観察者９は右眼用画像Ｒを見ることができる。
【００６０】
シャッタ眼鏡６０の開動作タイミングは、表示装置１０の映像信号処理回路２３により制御される。すなわち、映像信号処理回路２３は、フレーム切換え信号ＳＦの出力タイミングを変化させることにより、シャッタ制御部１５におけるシャッタ制御信号ＣＴＬの制御コードＣの生成タイミングを変化させることができ、シャッタ眼鏡６０の開動作タイミングを制御することができる。シャッタ眼鏡６０の閉動作タイミングは、この開動作タイミングと、制御コードＣにより指示される開閉デューティ比により制御される。すなわち、左眼用シャッタ６Ｌおよび右眼用シャッタ６Ｒでは、開動作のタイミングおよび開放時間の両方が設定されることにより、自由な開閉動作設定が可能である。
【００６１】
図９は、シャッタ眼鏡６０に対するシャッタ制御のタイミング波形図を表すものであり、開閉デューティ比が５０％以上であるときの例を示す。図９において、（Ａ）は映像信号Ｄ１の波形を示し、（Ｂ）はシャッタ制御信号ＣＴＬを示し、（Ｃ）は左眼用シャッタ制御信号ＣＴＬＬの波形を示し、（Ｄ）は右眼用シャッタ制御信号ＣＴＬＲの波形を示す。
【００６２】
開閉デューティ比が５０％以下の場合（図８）と同様に、表示装置１０がシャッタ制御信号ＣＴＬの制御コードＣを生成し（図９（Ｂ））、シャッタ駆動回路６３が左眼用シャッタ制御信号ＣＴＬＬおよび右眼用シャッタ制御信号ＣＴＬＲを生成する（図９（Ｃ），（Ｄ））。この例では、開閉デューティ比が５０％以上であるため、左眼用シャッタ制御信号ＣＴＬＬおよび右眼用シャッタ制御信号ＣＴＬＲが高レベルから低レベルに変化するタイミングが図８とは異なっている。すなわち、左眼用シャッタ制御信号ＣＴＬＬが高レベルから低レベルに変化するタイミングは、図８では、右眼用画像ＤＲ用の制御コードＣの前に存在するが、図９では、右眼用画像ＤＲ用の制御コードＣの後ろに存在する。同様に、右眼用シャッタ制御信号ＣＴＬＲが高レベルから低レベルに変化するタイミングは、図８では、左眼用画像ＤＬ用の制御コードＣの前に存在するが、図９では、左眼用画像ＤＬ用の制御コードＣの後ろに存在する。シャッタ眼鏡６０の左眼用シャッタ６Ｌは、左眼用シャッタ制御信号ＣＴＬＬが高レベルの時のみ開状態となり、観察者９は左眼用画像Ｌを見ることができ、同様に、シャッタ眼鏡６０の右眼用シャッタ６Ｒは、右眼用シャッタ制御信号ＣＴＬＲが高レベルの時のみ開状態となり、観察者９は右眼用画像Ｒを見ることができる。
【００６３】
表示システム１では、５０％以上や５０％以下に係らず広い範囲で開閉デューティ比を設定できる。例えば、開閉デューティ比を大きくすると、左眼用シャッタ６Ｌおよび右眼用シャッタ６Ｒの開放時間が長くでき、高輝度の表示を実現することができる。さほど高輝度が必要とされない場合には、バックライト４６の輝度を下げることができ、低消費電力を実現することができる。
【００６４】
以上のように、表示システム１では、表示装置１０が供給するシャッタ制御信号ＣＴＬに基づいて、シャッタ眼鏡６０の左眼用シャッタ６Ｌおよび右眼用シャッタ６Ｒの開閉動作を自由に設定することができる。
【００６５】
（送信部２９の消費電力）
図１０は、入力信号Ｄinとして立体視用映像信号が入力されたときの、表示装置１０の動作のフローチャートを表すものである。
【００６６】
まず、信号処理部２０の映像信号処理回路２３は、信号処理部２０の入力信号Ｄinが立体視用映像信号かどうかを検出する（ステップＳ１）。入力信号Ｄinが立体視用映像信号である場合には、ステップＳ２へ進み、立体視用映像信号でない場合には、このフローを終了する。
【００６７】
次に、シャッタ制御部１５は、デューティビットＤＢ（開閉デューティ比）を含む制御コードＣをシャッタ眼鏡６０に対して送信する（ステップＳ２）。具体的には、まず、シャッタ制御信号生成部２８は、図６に示したように、スタートビットＳＢと、コマンドビットＣＢと、“１”に設定したデューティフラグＤＦと、開閉デューティ比を設定したデューティビットＤＢからなる１２ビット長の制御コードＣを生成する。ここで、コマンドビットＣＢは、例えば、“００１”（右眼用シャッタオープン）や、“０１１”（左眼用シャッタオープン）が用いられる。そして、送信部２９は、その制御コードＣを含むシャッタ制御信号ＣＴＬをシャッタ眼鏡６０に対して送信する。シャッタ眼鏡６０は、コマンドビットＣＢ等の指示に基づいてシャッタを開状態とし、デューティビットＤＢの指示に基づく時間が経過した後、シャッタを閉状態とする。
【００６８】
次に、シャッタ制御部１５は、所定個数の制御コードＣを送信したかどうかを判断する（ステップＳ３）。すなわち、シャッタ制御部１５は、デューティビットＤＢを含む制御コードＣを送った回数をカウントし、そのカウント値が所定個数（例えば２など）に達したかどうかを判断する。カウント値が所定個数に達していない時には、ステップＳ２に戻り、再度、シャッタ制御部１５が開閉デューティ比を含む制御コードＣを送信する。シャッタ制御部１５は、カウント値が所定個数に達するまでこの動作を繰り返す。所定個数に達すると、ステップ４に進む。
【００６９】
次に、シャッタ制御部１５は、デューティビットＤＢ（開閉デューティ比）を含まない制御コードＣをシャッタ眼鏡６０に対して送信する（ステップＳ４）。具体的には、まず、シャッタ制御信号生成部２８は、図６に示したように、スタートビットＳＢと、コマンドビットＣＢと、“０”に設定したデューティフラグＤＦからなる８ビット長の制御コードＣを生成する。そして、送信部２９は、その制御コードＣを含むシャッタ制御信号ＣＴＬをシャッタ眼鏡６０に対して送信する。この場合、シャッタ眼鏡６０は、まず、コマンドビットＣＢ等の指示に基づいてシャッタを開状態とする。そして、最後に受信したデューティビットＤＢ（ステップＳ２において受信したデューティビットＤＢ）に基づく時間が経過した後、シャッタを閉状態とする。
【００７０】
次に、信号処理部２０の映像信号処理回路２３は、信号処理部２０の入力信号Ｄinが立体視用映像信号かどうかを検出する（ステップＳ５）。入力信号Ｄinが立体視用映像信号である場合には、ステップＳ４に戻り、再度、シャッタ制御部１５がデューティビットＤＢを含まない制御コードＣを送信する。シャッタ制御部１５は、入力信号Ｄinが立体視用映像信号である限りこの動作を繰り返す。入力信号Ｄinが立体視用映像信号から通常の映像信号に変わるとステップＳ６へ進む。
【００７１】
最後に、シャッタ制御部１５は、シャッタ眼鏡６０の両シャッタを開状態にする制御コードＣをシャッタ眼鏡６０に対して送信する（ステップＳ６）。具体的には、まず、シャッタ制御信号生成部２８は、図６に示したように、スタートビットＳＢと、“１００”に設定したコマンドビットＣＢと、“０”に設定したデューティフラグＤＦからなる８ビット長の制御コードＣを生成する。そして、送信部２９は、その制御コードＣを含むシャッタ制御信号ＣＴＬをシャッタ眼鏡６０に対して送信する。シャッタ眼鏡６０は、コマンドビットＣＢ等の指示に基づいて、左眼用シャッタ６Ｌおよび右眼用シャッタ６Ｒの両方を開状態にする。
【００７２】
以上により、このフローは終了する。表示装置１０は、入力信号Ｄinが立体視用映像信号かどうかを常に監視している。すなわち、図１０に示した動作は常に実施されている。なお、この例では、両シャッタを開状態にする制御コードＣは、入力信号Ｄinが立体視用映像信号から通常の映像信号に切り換わった後にのみ一回送信するようにしたが、これに限定されるものではない。これに代えて、例えば、所定個数の制御コードＣを送信するようにしてもよいし、入力信号Ｄinが通常の映像信号である間、この制御コードＣを定期的に間欠的に送信するようにしてもよい。
【００７３】
図１０に示したように、シャッタ制御部１５がシャッタ眼鏡６０に対してシャッタ制御信号ＣＴＬを送信する際、デューティビットＤＢ（開閉デューティ比）は所定個数の制御コードＣにのみ含まれる。言い換えれば、シャッタ制御部１５が送信する制御コードＣには、殆どデューティビットＤＢは含まれない。このように、送信するデューティビットＤＢを少なくすることにより、表示装置１０の送信部２９の消費電力を低減することができる。すなわち、図６に示したように、デューティビットＤＢを送信する場合には、この例では、スタートビットＳＢからデューティビットＤＢまでの計１２ビットを送信する。一方、デューティビットＤＢを送信しない場合には、スタートビットＳＢからデューティフラグＤＦまでの計８ビットのみを送信する。よって、上記所定個数を小さく設定して、デューティビットＤＢを含む制御コードＣを減らすことにより、送信するデータ量自体を減らすことができ、送信部２９の消費電力を低減することができる。
【００７４】
上記所定個数を大きくすると、例えば、シャッタ制御部１５とシャッタ眼鏡６０との間の無線通信がしにくい場合でも、より確実にデューティビットＤＢ（開閉デューティ比）をシャッタ眼鏡６０に送信することができる。具体的には、例えば、無線通信として赤外線を用いる場合には、シャッタ眼鏡６０を使用する観察者９が表示装置１０とは異なる方向を向いたときに無線通信がしにくくなる恐れがある。また、例えば、無線通信として電波を用いる場合には、他の電波と混信したとき無線通信がしにくくなる恐れがある。送信部２９は、上記所定個数のデューティビットＤＢを送信するため、この所定個数が大きいほど、より確実にデューティビットＤＢをシャッタ眼鏡６０に送信することができる。よって、上記所定個数は、送信部２９の消費電力と通信の確実性の両方によって決定されるべきものである。つまり、上記所定個数は、例示した２に限定されるものではなく、用途に応じて、送信部２９の消費電力と通信の確実性とが満足できる範囲であればよく、これより大きくても小さくても良い。
【００７５】
（開閉デューティ比の設定におけるフェイルセーフ機能）
図６に示したように、制御コードＣにおいて、デューティビットＤＢが“００００”の場合には、シャッタ眼鏡６０は、開閉デューティ比を変更することなく、最後に指示された開閉デューティ比をそのまま維持するように動作する。これにより、表示システム１は、以下に示すように、より確実なシャッタ開閉動作を実現することができる。
【００７６】
シャッタ眼鏡６０が、表示装置１０からのシャッタ制御信号ＣＴＬを受信する際、ノイズなどの影響により、受信した制御コードＣを誤判定する恐れがある。例として、表示装置１０が、シャッタ眼鏡６０に対して、デューティビットＤＢ（開閉デューティ比）を含まない制御コードＣを送信する場合を想定する。この場合、制御コードＣは、図６に示したように、スタートビットＳＢと、コマンドビットＣＢと、“０”に設定されたデューティフラグＤＦとにより構成される。すなわち、デューティフラグＤＦの後ろにはデューティビットＤＢは付加されていない。この場合において、例えば、無線通信において混信が生じているとき、シャッタ眼鏡６０は、この制御コードＣを受信する際にデューティフラグＤＦが“１”であると誤判定するおそれがある。この場合、シャッタ眼鏡６０の判別回路６２は、そのデューティフラグＤＦに続くデューティビットＤＢに基づいて開閉デューティ比を設定するように動作する。このとき、この制御コードＣはデューティビットＤＢを含んでいないため、判別回路６２は、デューティビットＤＢが“００００”であると判定し、よって、この制御コードＣ以前において最後に指示された開閉デューティ比をそのまま維持するように動作する。つまり、シャッタ眼鏡６０は、ノイズなどの影響によりデューティフラグＤＦの誤判定が生じた場合でも、開閉デューティ比を誤設定するおそれが低い。
【００７７】
以上のように、デューティビットＤＢが全て不活性論理のときには、最後に指示された開閉デューティ比をそのまま維持して動作するようにしたので、デューティフラグＤＦが誤判定された場合でも、開閉デューティ比が誤設定されることがなく、より確実なシャッタ開閉動作を実現することができる。
【００７８】
［比較例との対比］
次に、いくつかの比較例と対比して、本実施の形態の作用を説明する。
【００７９】
（比較例１）
比較例１は、非特許文献１に開示された表示システムであり、コード化されていないシャッタ制御信号を用いてシャッタ眼鏡を制御するものである。
【００８０】
図１１は、比較例１に係るシャッタ制御のタイミング波形図を表すものである。図１１において、（Ａ）は映像信号Ｄ１の波形を示し、（Ｂ）はシャッタ制御信号ＣＴＬを示し、（Ｃ）は左眼用シャッタ制御信号ＣＴＬＬの波形を示し、（Ｄ）は右眼用シャッタ制御信号ＣＴＬＲの波形を示す。
【００８１】
図１１に示したように、比較例１に係る表示装置は、映像信号Ｄ１（図１１（Ａ））に同期して、シャッタ制御信号ＣＴＬを生成する（図１１（Ｂ））。このシャッタ制御信号ＣＴＬは、コード化されていない。すなわち、本比較例１では、シャッタ制御信号ＣＴＬは、制御コードＣを含まず、単に、高レベルのときに左眼用シャッタを開状態にするとともに右眼用シャッタを閉状態にし、低レベルの時に左眼用シャッタを閉状態にするとともに右眼用シャッタを開状態にするように指示するものである。シャッタ眼鏡は、このシャッタ制御信号ＣＴＬを受信して、左眼用シャッタ制御信号ＣＴＬＬおよび右眼用シャッタ制御信号ＣＴＬＲを生成する（図１１（Ｃ），（Ｄ））。そして、左眼用シャッタおよび右眼用シャッタは、これらの信号に基づいてシャッタの開閉動作を行う。
【００８２】
本比較例１では、左眼用シャッタ６Ｌや右眼用シャッタ６Ｒのシャッタの開放時間を設定することができない。すなわち、左眼用シャッタや右眼用シャッタの開閉デューティ比は５０％である。また、シャッタ制御信号ＣＴＬは、フレーム期間Ｆｒのうちの半分は高レベルであるため、例えばシャッタの開状態および閉状態を赤外線の発光および非発光に対応させてシャッタ制御信号ＣＴＬを送信する場合には、送信部の消費電力が大きくなってしまう。
【００８３】
一方、本実施の形態に係る表示システム１では、シャッタ制御信号ＣＴＬをコード化し、開閉デューティ比を設定できるようにしたので、左眼用シャッタ６Ｌおよび右眼用シャッタ６Ｒの開放時間を自由に設定することができる。また、シャッタ制御信号ＣＴＬをコード化し、さらにデューティビットＤＢ（開閉デューティ比）を送信する回数を必要最低限に抑えるようにしたので、シャッタ制御信号ＣＴＬを送信する表示装置１０の送信部２９の消費電力を抑えることができる。
【００８４】
（比較例２）
次に、比較例２に係る表示システムについて説明する。本比較例２は、左眼用シャッタの開動作タイミングの情報のみを含むシャッタ制御信号を用いてシャッタ眼鏡を制御するものである。
【００８５】
図１２は、比較例２に係るシャッタ制御のタイミング波形図を表すものである。図１２において、（Ａ）は映像信号Ｄ１の波形を示し、（Ｂ）はシャッタ制御信号ＣＴＬを示し、（Ｃ）は左眼用シャッタ制御信号ＣＴＬＬの波形を示し、（Ｄ）は右眼用シャッタ制御信号ＣＴＬＲの波形を示す。
【００８６】
図１２に示したように、比較例２に係る表示装置は、映像信号Ｄ１（図１２（Ａ））に同期して、シャッタ制御信号ＣＴＬを生成する（図１２（Ｂ））。このシャッタ制御信号ＣＴＬは、この例では、映像信号Ｄ１が左眼用画像信号ＤＬのとき、所定の期間のみ高レベルとなる。シャッタ制御信号ＣＴＬは、左眼用シャッタの開動作タイミングの情報のみを含むものであり、右眼用シャッタの開動作タイミングの情報を含んでおらず、シャッタ閉動作タイミングを指示する情報も含んでいない。シャッタ眼鏡は、このシャッタ制御信号ＣＴＬを受信して、左眼用シャッタ制御信号ＣＴＬＬおよび右眼用シャッタ制御信号ＣＴＬＲを生成する（図１２（Ｃ），（Ｄ））。このとき、左眼用シャッタ制御信号ＣＴＬＬは、シャッタ制御信号ＣＴＬが低レベルから高レベルに変化した時に低レベルから高レベルに変化し、その後フレーム期間Ｆｒの半分の時間が経過した後に高レベルから低レベルに変化する（図１２（Ｃ））。また、右眼用シャッタ制御信号ＣＴＬＲは、シャッタ制御信号ＣＴＬが低レベルから高レベルに変化した時に高レベルから低レベルに変化し、その後フレーム期間Ｆｒの半分の時間が経過した後に低レベルから高レベルに変化する（図１２（Ｄ））。そして、左眼用シャッタおよび右眼用シャッタは、これらの信号に基づいてシャッタの開閉動作を行う。
【００８７】
本比較例２では、左眼用シャッタや右眼用シャッタの開放時間を自由に設定することができない。すなわち、左眼用シャッタや右眼用シャッタの開閉デューティ比は５０％である。また、シャッタ制御信号ＣＴＬは、左眼用シャッタの開動作タイミング情報のみを含むため、シャッタ眼鏡は、左眼用シャッタ６Ｌの閉動作タイミングや、右眼用シャッタの開動作タイミングおよび閉動作タイミングを、このシャッタ制御信号ＣＴＬに基づいて自ら求める必要があり、シャッタ眼鏡における処理が複雑になり、シャッタ眼鏡の消費電力が増大するおそれがある。
【００８８】
一方、本実施の形態に係る表示システム１では、シャッタ制御信号ＣＴＬをコード化し、開閉デューティ比を設定できるようにしたので、左眼用シャッタ６Ｌおよび右眼用シャッタ６Ｒの開放時間を自由に設定することができる。また、制御コードＣにより、左眼用シャッタ６Ｌおよび右眼用シャッタ６Ｒに対して、開動作タイミングと開放時間とを直接指示するようにしたので、シャッタ眼鏡における処理がシンプルになる。
【００８９】
（比較例３）
次に、比較例３に係る表示システムについて説明する。本比較例３は、シャッタ制御信号をコード化し、左眼用シャッタと右眼用シャッタのそれぞれに対して、シャッタの開動作タイミングと閉動作タイミングの両方を指示するように、シャッタ眼鏡を制御するものである。
【００９０】
図１３は、比較例３に係るシャッタ制御のタイミング波形図を表すものである。図１３において、（Ａ）は映像信号Ｄ１の波形を示し、（Ｂ）はシャッタ制御信号ＣＴＬを示し、（Ｃ）は左眼用シャッタ制御信号ＣＴＬＬの波形を示し、（Ｄ）は右眼用シャッタ制御信号ＣＴＬＲの波形を示す。
【００９１】
図１４は、比較例３に係るシャッタ制御信号ＣＴＬの制御コードＣ２の一構成例を表すものである。図１４において、（Ａ）は制御コードＣ２の全体構成を示し、（Ｂ）は制御コードＣ２に係るコマンドビットＣＢ２の機能を示す。制御コードＣ２は、４ビットのスタートビットＳＢと、４ビットのコマンドビットＣＢ２により構成される、計８ビットからなる固定長のコードである。
【００９２】
図１３に示したように、比較例３に係る表示装置は、映像信号Ｄ１（図１３（Ａ））に同期して、図１４に示したシャッタ制御信号ＣＴＬの制御コードＣ２Ａ，Ｃ２Ｂを生成する（図１３（Ｂ））。ここで、制御コードＣ２Ａは、シャッタが開くタイミングを指示するものであり、制御コードＣ２Ｂは、シャッタが閉じるタイミングを指示するものである。シャッタ眼鏡は、このシャッタ制御信号ＣＴＬを受信して、左眼用シャッタ制御信号ＣＴＬＬおよび右眼用シャッタ制御信号ＣＴＬＲを生成する（図１３（Ｃ），（Ｄ））。具体的には、左眼用シャッタ制御信号ＣＴＬＬは、映像信号Ｄ１が左眼用画像信号ＤＬの場合において、シャッタ制御信号ＣＴＬの制御コードＣ２Ａ（コマンドビットＣＢ２：“００１１”）が終了した後に低レベルから高レベルに変化し、制御コードＣ２Ｂ（コマンドビットＣＢ２：“０１００”）が終了した後に高レベルから低レベルに変化する（図１３（Ｃ））。同様に、右眼用シャッタ制御信号ＣＴＬＲは、映像信号Ｄ１が右眼用画像信号ＤＲの場合において、シャッタ制御信号ＣＴＬの制御コードＣ２Ａ（コマンドビットＣＢ２：“０００１”）が終了した後に低レベルから高レベルに変化し、制御コードＣ２Ｂ（コマンドビットＣＢ２：“００１０”）が終了した後に高レベルから低レベルに変化する（図１３（Ｄ））。そして、左眼用シャッタおよび右眼用シャッタは、これらの信号に基づいてシャッタの開閉動作を行う。
【００９３】
本比較例３では、左眼用シャッタや右眼用シャッタの開放時間を、フィールド期間Ｆｉ（フレーム期間Ｆｒの時間の半分）よりも大きくすることができない。すなわち、左眼用シャッタ６Ｌや右眼用シャッタ６Ｒの開閉デューティ比は、５０％より大きくすることができない。これは、開閉デューティ比を５０％より大きくするために、各フィールド期間Ｆｉにおいて制御コードＣ２Ｂの生成タイミングを遅くすると、制御コードＣ２Ａ，Ｃ２Ｂが１フィールド期間Ｆｉに納まらなくなり、この制御コードＣ２Ｂが、次のフィールド期間Ｆｉの制御コードＣ２Ａと重なってしまうためである。この場合には、例えば、図１３に示したような２フィールド期間ごとではなく、４フィールド期間ごとに左眼用シャッタ６Ｌや右眼用シャッタ６Ｒに対して１回ずつ制御コードＣ２Ａ，Ｃ２Ｂを送信することとなる。つまり、シャッタ眼鏡は、４フィールド期間に２回ずつ開閉動作を行うためには、この制御コードＣ２Ａ，Ｃ２Ｂによる１回ずつのシャッタの開閉動作のほかに、もう１回ずつの開閉動作を行う必要があり、その開閉タイミングを自ら求めなければならない。よって、シャッタ眼鏡における処理が複雑になり、シャッタ眼鏡の消費電力が増大するおそれがある。
【００９４】
一方、本実施の形態に係る表示システム１では、１つの制御コードＣに開動作タイミング情報と開放時間情報とを含めるようにしたので、指示を１フィールド期間Ｆｉ以内に納めることができ、開閉デューティ比を５０％以上にもすることができる。
【００９５】
また、本比較例３では、図１４に示したように、各制御コードＣは８ビットの固定長であり、これを１フィールド期間Ｆｉ内に２回送信する必要がある。一方、本実施の形態では、図６に示したように、各制御コードＣは８ビット〜１２ビットの可変長であるが、開閉デューティ比の指示を最小限にすることにより、殆どの制御コードＣは８ビット長となる。また、表示装置１０がこの制御コードＣを送信する際、開閉デューティ比の指示を行わない制御コードは、デューティビットＤＢが“０”であるため、通信方式によっては、実質的に７ビット長となる。また、本実施の形態では、この制御コードＣを、１フィールド期間Ｆｉ内に１回送信するだけでよい。これにより、本実施の形態における送信部２９の消費電力は、本比較例３の場合に比べて低くすることができる。
【００９６】
図１５は、本実施の形態と上記比較例１〜３との、送信部の消費電力および開閉デューティ比の設定自由度の比較を表すものである。
【００９７】
送信部の消費電力は、フィールド周波数を４８Ｈｚ（フィールド期間Ｆｉ＝２０．８ｍｓｅｃ）とし、比較例２のパルス幅を４ｋＨｚ分（２５０ｕｓｅｃ）、比較例３および本実施の形態に係る表示装置１のパルス周波数を２５ｋＨｚ（パルス幅＝４０ｕｓｅｃ）と仮定して算出したものである。比較例１における送信部の消費電力を１とすると、比較例２では０．０１６、比較例３では０．０６４である。一方、本実施の形態の送信部２９の消費電力は、０．０５６〜０．０９６となる。ここで、０．０５６は、開閉デューティ比を指示しないとき（デューティビットＤＢを含まないとき）に対応し、０．０９６は、全てのフィールド期間Ｆｉにおいて開閉デューティ比を指示するとき（デューティビットＤＢを含むとき）に対応するものである。つまり、本実施の形態の送信部２９の消費電力は、開閉デューティ比の指示を最小限にすることにより、０．０５６程度にまで低減することができる。
【００９８】
開閉デューティ比は、上述したように、比較例１，２では自由に設定することができず５０％に固定され、比較例３では、原理上５０％以上に設定することはできない。一方、本実施の形態では、原理上０〜１００％の範囲で設定することができる。よって、本実施の形態では、シャッタの開閉タイミングの高い設定自由度を実現することができる。
【００９９】
［効果］
以上のように本実施の形態では、１つの制御コードに開動作タイミング情報と開放時間情報とを含めるようにしたので、開閉デューティ比を５０％よりも大きくでき、シャッタの開閉タイミングの高い設定自由度を実現することができる。
【０１００】
また、本実施の形態では、全ての制御コードではなく、一部の所定個数の制御コードにのみデューティビットＤＢを含むようにしたので、表示装置がシャッタ眼鏡にシャッタ制御信号を送信する際のデータ量を最小限にすることができ、送信部の消費電力を低減することができる。
【０１０１】
さらに、本実施の形態では、デューティビットＤＢが全て不活性論理のときには、最後に指示された開閉デューティ比をそのまま維持して動作するようにしたので、デューティフラグＤＦが誤判定された場合でも、開閉デューティ比が誤設定されることがなく、より確実なシャッタ開閉動作を実現することができる。
【０１０２】
［変形例］
上記実施の形態では、表示装置１０は、入力信号Ｄinが通常の映像信号から立体視用映像信号に切り換わった直後の所定個数の制御コードＣにのみ、デューティビットＤＢを含むようにしたが、これに限定されるものではなく、例えば、入力信号Ｄinが立体視用映像信号である間、デューティビットＤＢを定期的に間欠的に含むようにしてもよい。この場合でも、表示装置１０がシャッタ眼鏡６０にシャッタ制御信号ＣＴＬを送信する際のデータ量を少なくすることができ、送信部の消費電力を低減することができる。
【０１０３】
＜２．第２の実施の形態＞
次に、本発明の第２の実施の形態に係る表示システムについて説明する。表示システム２は、複数の観察者が、１つの表示装置に表示される異なる映像を見るためのマルチビューシステムである。本実施の形態は、シャッタ眼鏡が、上記第１の実施の形態と異なるものである。すなわち、上記第１の実施の形態（図１，図６）では、右眼用シャッタおよび左眼用シャッタのそれぞれに対して、開閉動作を指示したが、これに代えて、本実施の形態では、複数のシャッタ眼鏡のそれぞれに対して、シャッタ眼鏡ごと（一対の右眼用シャッタおよび左眼用シャッタごと）の開閉動作を指示している。その他の構成は、上記第１の実施の形態（図１〜図５）と同様である。以下では、一例として、２人の観察者を対象としたマルチビューシステムについて説明する。なお、上記第１の実施の形態に係る表示システム１と実質的に同一の構成部分には同一の符号を付し、適宜説明を省略する。
【０１０４】
［構成例］
図１６は、表示システム２の一構成例を表すものである。表示システム２は、表示装置１０と、２つのシャッタ眼鏡６０Ａ，６０Ｂとを備えている。
【０１０５】
表示装置１０は、第１の実施の形態に係る表示装置１０（図２）と同じであるが、入力信号Ｄinが異なる。すなわち、表示装置１０は、２人分の異なる映像信号を含む入力信号Ｄinに基づいて、表示部１２に映像を表示するものである。ここで、２人分の映像信号は、観察者９Ａのための画像と観察者９Ｂのための画像とを交互に配列してなる映像信号である。表示装置１０のシャッタ制御部１５は、信号処理部２０から供給されたフレーム切換え信号ＳＦに基づいてシャッタ制御信号ＣＴＬを生成し、例えば赤外線や電波などを用いた無線通信によりシャッタ眼鏡６０Ａ，６０Ｂに供給するものである。
【０１０６】
シャッタ眼鏡６０Ａ，６０Ｂは、表示装置１０に表示された２つの異なる映像を２人の観察者（図示せず）がそれぞれ見るためのものである。シャッタ眼鏡６０Ａは一対のシャッタ６Ａを有し、シャッタ眼鏡６０Ｂは一対のシャッタ６Ｂを有している。一対のシャッタ６Ａは、シャッタ制御信号ＣＴＬにより同時に開閉制御され、同様に、一対のシャッタ６Ｂは、シャッタ制御信号ＣＴＬにより同時に開閉制御される。
【０１０７】
図１７は、シャッタ制御信号ＣＴＬの制御コードＣＳの一構成例を表すものである。図１７において、（Ａ）は制御コードＣＳの全体構成を示し、（Ｂ）は制御コードＣＳに係るコマンドビットＣＢＳの機能を示し、（Ｃ）は制御コードＣＳに係るデューティフラグＤＦの機能を示し、（Ｄ）は制御コードＣＳに係るデューティビットＤＢの機能を示す。
【０１０８】
コマンドビットＣＢＳは、図１７（Ｂ）に示したように、シャッタ眼鏡６０Ａのシャッタ６Ａ、およびシャッタ眼鏡６０Ｂのシャッタ６Ｂの開閉動作を指示するものである。具体的には、コマンドビットＣＢＳでは、例えば、シャッタ６Ａの開動作（コマンドビットＣＢＳ：“００１”）、シャッタ６Ｂの開動作（コマンドビットＣＢＳ：“０１１”）、およびこれら両方に対する閉動作（コマンドビットＣＢＳ：“１０１”）などを指示することができる。これらは、例えば、入力信号Ｄinが２人分の異なる映像信号であるときに用いられるものである。また、このコマンドビットＣＢＳでは、シャッタ６Ａとシャッタ６Ｂの両方に対する開動作（コマンドビットＣＢＳ：“１００”）を指示することもできるようになっている。これは、例えば、入力信号Ｄinが通常の映像信号である時に用いられるものである。
【０１０９】
以上の構成により、シャッタ眼鏡６０Ａのシャッタ６Ａおよびシャッタ眼鏡６０Ｂのシャッタ６Ｂは、シャッタ制御信号ＣＴＬに基づいて、表示装置１０に時分割的に表示される観察者９Ａのための画像と観察者９Ｂのための画像とに同期して、シャッタの開閉動作を行うようになっている。
【０１１０】
ここで、シャッタ制御信号ＣＴＬの制御コードＣＳは、本発明における「シャッタ制御コード」の一具体例に対応する。シャッタ６Ａおよびシャッタ６Ｂは、本発明における「第１シャッタおよび第２シャッタ」の一具体例に対応する。コマンドビットＣＢＳは、本発明における「開動作タイミング情報」の一具体例に対応する。
【０１１１】
［動作および作用］
図１８は、表示システム２の全体動作を模式的に表すものである。図１８において、（Ａ）は観察者９Ａのための画像Ａを表示したときの動作を示し、（Ｂ）は観察者９Ｂのための画像Ｂを表示したときの動作を示す。表示装置１０が画像Ａを表示している場合、図１８（Ａ）に示したように、シャッタ眼鏡６０Ａのシャッタ６Ａが開状態となるとともに、シャッタ眼鏡６０Ｂのシャッタ６Ｂが閉状態となる。このとき、観察者９Ａが画像Ａを見ることとなる。一方、表示装置１０が画像Ｂを表示している場合、図１８（Ｂ）に示したように、シャッタ眼鏡６０Ａのシャッタ６Ａが閉状態となるとともに、シャッタ眼鏡６０Ｂのシャッタ６Ｂが開状態となる。このとき、観察者９Ｂが画像Ｂを見ることとなる。これらの動作を交互に繰り返すことにより、画像Ａからなる映像を観察者９Ａが見るとともに、画像Ｂからなる映像を観察者９Ｂが見ることができ、１つの表示装置に表示される複数の映像のそれぞれを複数の観察者が見ることができる、マルチビューシステムを実現することができる。
【０１１２】
図１９は、シャッタ眼鏡６０Ａのシャッタ６Ａおよびシャッタ眼鏡６０Ｂのシャッタ６Ｂに対するシャッタ制御のタイミング波形図を表すものであり、開閉デューティ比が５０％以下であるときの例を示す。図１９において、（Ａ）は映像信号Ｄ１の波形を示し、（Ｂ）はシャッタ制御信号ＣＴＬを示し、（Ｃ）はシャッタ６Ａ用の制御信号波形を示し、（Ｄ）はシャッタ６Ｂ用の制御信号波形を示す。説明の便宜上、シャッタ６Ａは、シャッタ６Ａ用の制御信号が高レベルの時に開状態となり、低レベルの時に閉状態になるものとする。同様に、シャッタ６Ｂは、シャッタ６Ｂ用の制御信号が高レベルの時に開状態となり、低レベルの時に閉状態になるものとする。
【０１１３】
図１９に示したように、表示装置１０は、シャッタ制御信号ＣＴＬの制御コードＣＳを生成し（図１９（Ｂ））、シャッタ眼鏡６０Ａがシャッタ６Ａ用の制御信号を生成し（図１９（Ｃ））、シャッタ眼鏡６０Ｂがシャッタ６Ｂ用の制御信号を生成する（図１９（Ｄ））。具体的には、例えば、映像信号Ｄ１が観察者９Ａのための画像信号ＤＡであるときは（図１９（Ａ））、制御コードＣＳが終了した後にシャッタ６Ａ用の制御信号が低レベルから高レベルに変化し、制御コードＣＳにより指示された開閉デューティ比に基づく時間が経過した後に高レベルから低レベルに変化する（図１９（Ｃ））。シャッタ６Ａは、この制御信号が高レベルの期間のみ開状態となり、この期間において観察者９Ａは画像Ａを見ることができる。同様に、例えば、映像信号Ｄ１が観察者９Ｂのための画像信号ＤＢであるときは（図１９（Ａ））、制御コードＣＳが終了した後にシャッタ６Ｂ用の制御信号が低レベルから高レベルに変化し、制御コードＣＳにより指示された開閉デューティ比に基づく時間が経過した後に高レベルから低レベルに変化する（図１９（Ｄ））。シャッタ６Ｂは、この制御信号が高レベルの期間のみ開状態となり、この期間において観察者９Ｂは画像Ｂを見ることができる。
【０１１４】
以上は、開閉デューティ比が５０％以下の場合の例を示したが、開閉デューティ比が５０％以上の場合についても全く同様である。
【０１１５】
以上のように、表示システム２では、シャッタ制御信号ＣＴＬに基づいて、シャッタ眼鏡６０Ａのシャッタ６Ａおよびシャッタ眼鏡６０Ｂのシャッタ６Ｂの開閉動作を自由に設定することができる。
【０１１６】
［効果］
以上のように本実施の形態では、複数のシャッタ眼鏡に対して、シャッタ眼鏡ごとの開動作タイミングと開放時間を指示するようにしたので、複数の観察者が１つの表示装置に表示される異なる映像を見るためのマルチビューシステムを実現することができる。その他の効果は、上記第１の実施の形態の場合と同様である。
【０１１７】
以上、いくつかの実施の形態を挙げて本発明を説明したが、本発明はこれらの実施の形態等には限定されず、種々の変形が可能である。
【０１１８】
例えば、上記の各実施の形態では、表示部は液晶表示装置を用いるようにしたが、これに限定されるものではなく、これに代えて、例えばＥＬ（Electro-Luminescence）表示装置や、プラズマ表示装置、ＤＬＰ（Digital Light Processing）によるプロジェクタ等を用いるようにしてもよい。
【０１１９】
また、例えば、シャッタ眼鏡は、モードの切り替えにより、立体視表示システム（第１の実施の形態）、マルチビューシステム（第２の実施の形態）の両方に対応できるようにしてもよい。具体的には、シャッタ眼鏡は、シャッタ制御信号ＣＴＬに基づきシャッタを制御する際、例えば、立体視表示システムのモードでは、制御コードＣ（図６）に従って左眼用シャッタ６Ｌと右眼用シャッタ６Ｒとを制御し、マルチビューシステムのモードでは、制御コードＣＳ（図１７）に従って一対のシャッタ６Ａおよび一対のシャッタ６Ｂを制御するようにしてもよい。
【符号の説明】
【０１２０】
１，２…表示システム、６Ａ，６Ｂ…シャッタ、６Ｌ…左眼用シャッタ、６Ｒ…右眼用シャッタ、１０…表示装置、１１…表示駆動部、１２…表示部、１３…音声増幅部、１４…スピーカ、１５…シャッタ制御部、２０…信号処理部、２１…デジタルチューナ、２２…ＭＰＥＧデコーダ、２３…映像信号処理回路、２４…グラフィック生成回路、２５…音声信号処理回路、２６…ＨＤＭＩレシーバ、２７…ネットワークインターフェース、３１…内部バス、３２…メモリ、３３…フラッシュＲＯＭ、３４…ＣＰＵ、３５…リモコン受信部、４１…タイミング制御部、４２…ゲートドライバ、４３…データドライバ、４４…バックライト駆動部、４５…液晶表示デバイス、４６…バックライト、５０…画素、５１…ＴＦＴ素子、５２…液晶素子、５３…保持容量素子、６０、６０Ａ、６０Ｂ…シャッタ眼鏡、６１…受信部、６２…判別回路、６３…シャッタ駆動回路、Ｃ，ＣＳ…制御コード、ＣＢ，ＣＢＳ…コマンドビット、Ｃｓ…保持容量線、ＣＴＬ…シャッタ制御信号、ＣＴＬＬ…左眼用シャッタ制御信号、ＣＴＬＲ…右眼用シャッタ制御信号、Ｄ…データ線、ＤＢ…デューティビット、ＤＦ…デューティフラグ、ＤＬ…左眼用画像信号、ＤＲ…右眼用画像信号、Ｄin…入力信号、Ｄ１…映像信号、Ｄ２…音声信号、Ｆｉ…フィールド期間、Ｆｒ…フレーム期間、Ｇ…ゲート線、ＳＢ…スタートビット、ＳＦ…フレーム切換え信号、ＴＡ…アンテナ端子、ＴＨ…ＨＤＭＩ端子、ＴＮ…ネットワーク端子。
【図１】
2011166499.tif 000003
【図２】
2011166499.tif 000004
【図３】
2011166499.tif 000005
【図４】
2011166499.tif 000006
【図５】
2011166499.tif 000007
【図６】
2011166499.tif 000008
【図７】
2011166499.tif 000009
【図８】
2011166499.tif 000010
【図９】
2011166499.tif 000011
【図１０】
2011166499.tif 000012
【図１１】
2011166499.tif 000013
【図１２】
2011166499.tif 000014
【図１３】
2011166499.tif 000015
【図１４】
2011166499.tif 000016
【図１５】
2011166499.tif 000017
【図１６】
2011166499.tif 000018
【図１７】
2011166499.tif 000019
【図１８】
2011166499.tif 000020
【図１９】
2011166499.tif 000021